(57)【要約】【課題】  本発明は、再生装置及び再生方法に関し、例えば大容量のメモリカードに記録されたオーディオ信号を再生する再生装置に適用して、メモリカード側で論理アドレスを物理アドレスに変換するテーブルを構築、管理する場合に、省電力モードからの立ち上がりを短くすることができるようにする。【解決手段】  本発明は、続いて再生するデータをメモリカード１２から先読みしてメモリ２９に保持した後、省電力モードに動作モードを切り換え、省電力モードからの動作の立ち上げにより、論理アドレスを物理アドレスに変換するテーブルをメモリカード１２が構築してメモリカード１２のデータを提供可能となるまでの間、このメモリ２９に記録して保持したデータを再生してユーザーに提供する。【選択図】        図１
2005208265.tif 000002
【特許請求の範囲】
【請求項１】
メモリカード側で論理アドレスを物理アドレスに変換するテーブルを構築、管理して、前記メモリカードに記録されたデータを再生してユーザーに提供する再生装置において、
所定時間の放置により前記メモリカードから続いて再生するデータを読み出してメモリに保持した後、少なくとも前記メモリカードへの電源の供給を停止して省電力モードに動作モードを切り換え、
前記省電力モードからの動作の立ち上げにより、前記メモリカードへの電源の供給を再開すると共に、前記テーブルの構築を指示し、前記メモリカードにおける前記テーブルの構築により前記メモリカードに記録したデータを読み出して前記ユーザーに提供可能となるまでの間、前記メモリに記録して保持したデータを再生して前記ユーザーに提供し、
続いて前記メモリカードから読み出したデータを再生して前記ユーザーに提供する
ことを特徴とする再生装置。
【請求項２】
メモリカード側で論理アドレスを物理アドレスに変換するテーブルを構築、管理して、前記メモリカードに記録されたデータを再生してユーザーに提供する再生方法において、
所定時間の放置により前記メモリカードから続いて再生するデータを読み出してメモリに保持した後、少なくとも前記メモリカードへの電源の供給を停止して省電力モードに動作モードを切り換え、
前記省電力モードからの動作の立ち上げにより、前記メモリカードへの電源の供給を再開すると共に、前記テーブルの構築を指示し、前記メモリカードにおける前記テーブルの構築により前記メモリカードに記録したデータを読み出して前記ユーザーに提供可能となるまでの間、前記メモリに記録して保持したデータを再生して前記ユーザーに提供し、
続いて前記メモリカードから読み出したデータを再生して前記ユーザーに提供する
ことを特徴とする再生方法。
【発明の詳細な説明】
【技術分野】
【０００１】
本発明は、再生装置及び再生方法に関し、例えば数ＧＢ程度以上の大容量のメモリカードに記録されたオーディオ信号を再生する再生装置に適用することができる。本発明は、続いて再生するデータをメモリカードから先読みしてメモリに保持した後、省電力モードに動作モードを切り換え、省電力モードからの動作の立ち上げにより、論理アドレスを物理アドレスに変換するテーブルをメモリカードが構築してメモリカードのデータを提供可能となるまでの間、このメモリに記録して保持したデータを再生してユーザーに提供することにより、メモリカード側で論理アドレスを物理アドレスに変換するテーブルを構築、管理する場合に、省電力モードからの立ち上がりを短くすることができるようにする。
【背景技術】
【０００２】
従来、メモリカードを記録媒体として使用した携帯型のオーディオ装置が提供されるようになされている。図４に示すように、このようなオーディオ装置１においては、起動により、またメモリカード２の装着により、メモリカード２からファイル等の記録位置を論理アドレスにより示すＦＡＴ（File Allocation Table ）をロードして内蔵のメモリ３に記録して保持すると共に、メモリカード２の記録より論理アドレスを物理アドレスに変換するための論理物理変換テーブルをメモリ３に構築し、これらＦＡＴ、論理物理変換テーブルによりメモリカード２をアクセスしてユーザーの所望するファイルを再生するようになされている。
【０００３】
ここで論理物理変換テーブルは、図５に示すように、メモリカードにおけるメモリ空間の管理単位である各ブロックの物理アドレスを、論理アドレスにより特定するアドレス変換テーブルである。
【０００４】
すなわちメモリカード２では、特定の領域への使用が偏らないように、各ブロックにランダムに論理アドレスが割り当てられる。また何れかのブロックで欠陥が発生した場合、図６に示すように、この欠陥の発生したブロック（図６においては、ブロック＃３である）に代えて、予備のブロックが割り当てられ、またこの予備のブロックの割り当てに対応するように、各ブロックへの論理アドレスの割り当てが変更され、これにより不良ブロックがユーザーエリアから排除される。またデータの更新時においては、図７に示すように、更新対象のデータが記録されているブロック（この図７では、ブロック＃３である）に代えて、空きブロック（この図７では、ブロック＃ｍである）に更新に係るデータを記録した後、それまで更新対象のデータが記録されているブロックよりデータを削除すると共に、図８に示すように、これら一連の処理に対応するように、これら２つのブロックに対する論理アドレスの割り当てが更新され、これによりデータ更新時にメモリカードが途中で取り外されたような場合でも、それまでに更新したデータ又は元のデータの何れかについては保証できるようになされている。
【０００５】
これらによりメモリカードにおいては、各ブロックに対する論理アドレスが個々のメモリカードで相違し、また動的に変化し、このためメモリカードにおいては、各ブロックの特定領域にそれぞれ対応する論理アドレスが記録され、この論理アドレスが上述した欠陥に係る処理、データ更新の処理等により更新されるようになされている。またこのような論理アドレスの設定に対応して、オーディオ装置１においては、電源起動時、メモリカード２の装着時、各ブロックに割り当てられた論理アドレスを検出して論理物理変換テーブルを構築すると共に、この構築した論理物理変換テーブルに基づいて物理アドレスにより各種コマンドを発行してメモリカード２をアクセスし、またメモリカード２からの通知によりメモリカード２における論理アドレスの更新に対応するように論理物理変換テーブルを更新するようになされている。
【０００６】
しかしてこのような論理物理変換テーブルに基づいた物理アドレスによるメモリカード２の制御においては、オーディオ装置側の負担が大きい。特に、メモリカードのメモリ容量が大きくなった場合には、著しくオーディオ装置側の負担が大きくなる。
【０００７】
これにより図９に示すように、大容量のメモリカード６においては、オーディオ装置１からのコマンドによりメモリカード６側で論理物理変換テーブルを構築して管理し、メモリカード６側で論理アドレスを物理アドレスに変換処理してメモリ空間をアクセスするようになされ、これによりオーディオ装置１においては単に物理アドレスによるコマンドによりメモリカード６をアクセスして処理を簡略化できるようになされている。
【０００８】
これに対してこの種の携帯型のオーディオ装置においては、再生停止の状態により一定時間以上操作子が操作されない場合、いわゆる省電力モードに動作モードを切り換え、メモリカードへの電源の供給を停止すると共に、各部への電源の供給を停止するようになされている。
【０００９】
このような省電力モードにおいて、オーディオ装置側で論理物理変換テーブルを構築して管理する場合にあっては、この論理物理変換テーブルを記録してなるメモリに対して電源を供給し続けることにより、省電力モードから通常の動作モードに復帰した場合、即座に所望するオーディオ信号を再生してユーザーに提供することができる。
【００１０】
しかしながらメモリカード側で論理物理変換テーブルを構築して管理する場合にあっては、メモリカードへの電源の供給停止により論理物理変換テーブルが失われることになる。これによりオーディオ装置においては、省電力モードから通常の動作モードに動作を立ち上げる場合、改めてメモリカードに論理物理変換テーブルの構築を指示し、この論理物理変換テーブルの構築を待って、オーディオ信号を再生することになる。しかしてメモリカードのメモリ容量が例えば２〔ＧＢ〕程度になると、このような論理物理変換テーブルの構築に数秒程度の時間を要し、これにより使い勝手が著しく劣化する問題があった。
【００１１】
なお省電力モードにおいても、メモリカードには電源の供給を継続することにより、省電力モードからの復帰時、このような論理物理変換テーブルの構築に要する待ち時間を無くすことができる。しかしながらこのように省電力モードにおいてもメモリカードに電源を供給し続けると、その分、消費電力が増大し、バッテリの使用可能時間が著しく短くなる。
【００１２】
これに対して例えば特開平１１−３０６６８７号公報においては、メモリカードと同様の記録媒体である光ディスクに関して、光ディスクに記録されたデータを先読みし、この先読みしたデータにより続く曲の再生開始時間を短縮する方法が提案されるようになされている。
【特許文献１】特開平１１−３０６６８７号公報
【発明の開示】
【発明が解決しようとする課題】
【００１３】
本発明は以上の点を考慮してなされたもので、メモリカード側で論理アドレスを物理アドレスに変換するテーブルを構築、管理する場合に、省電力モードからの立ち上がりを短くすることができる再生装置及び再生方法を提案しようとするものである。
【課題を解決するための手段】
【００１４】
かかる課題を解決するため請求項１の発明においては、メモリカード側で論理アドレスを物理アドレスに変換するテーブルを構築、管理して、メモリカードに記録されたデータを再生してユーザーに提供する再生装置に適用して、所定時間の放置によりメモリカードから続いて再生するデータを読み出してメモリに保持した後、少なくともメモリカードへの電源の供給を停止して省電力モードに動作モードを切り換え、省電力モードからの動作の立ち上げにより、メモリカードへの電源の供給を再開すると共に、テーブルの構築を指示し、メモリカードにおけるテーブルの構築によりメモリカードに記録したデータを読み出してユーザーに提供可能となるまでの間、メモリに記録して保持したデータを再生してユーザーに提供し、続いてメモリカードから読み出したデータを再生してユーザーに提供する。
【００１５】
また請求項２の発明においては、メモリカード側で論理アドレスを物理アドレスに変換するテーブルを構築、管理して、メモリカードに記録されたデータを再生してユーザーに提供する再生方法に適用して、所定時間の放置によりメモリカードから続いて再生するデータを読み出してメモリに保持した後、少なくともメモリカードへの電源の供給を停止して省電力モードに動作モードを切り換え、省電力モードからの動作の立ち上げにより、メモリカードへの電源の供給を再開すると共に、テーブルの構築を指示し、メモリカードにおけるテーブルの構築によりメモリカードに記録したデータを読み出してユーザーに提供可能となるまでの間、メモリに記録して保持したデータを再生してユーザーに提供し、続いてメモリカードから読み出したデータを再生してユーザーに提供する。
【００１６】
請求項１の構成により、メモリカード側で論理アドレスを物理アドレスに変換するテーブルを構築、管理して、メモリカードに記録されたデータを再生してユーザーに提供する再生装置に適用して、所定時間の放置によりメモリカードから続いて再生するデータを読み出してメモリに保持した後、少なくともメモリカードへの電源の供給を停止して省電力モードに動作モードを切り換え、省電力モードからの動作の立ち上げにより、メモリカードへの電源の供給を再開すると共に、テーブルの構築を指示し、メモリカードにおけるテーブルの構築によりメモリカードに記録したデータを読み出してユーザーに提供可能となるまでの間、メモリに記録して保持したデータを再生してユーザーに提供し、続いてメモリカードから読み出したデータを再生してユーザーに提供すれば、ユーザーにおいては、省電力モードからの立ち上げにより、メモリに記録されたデータが即座に提供され、続いてテーブルの構築によりメモリカードから読み出されたデータが提供され、これにより省電力モードから再生を指示して即座に再生を開始することができる。これによりメモリカード側で論理アドレスを物理アドレスに変換するテーブルを構築、管理する場合に、省電力モードからの立ち上がりを短くすることができる。
【００１７】
これにより請求項２の構成によれば、メモリカード側で論理アドレスを物理アドレスに変換するテーブルを構築、管理する場合に、省電力モードからの立ち上がりを短くすることができる再生方法を提供することができる。
【発明の効果】
【００１８】
本発明によれば、メモリカード側で論理アドレスを物理アドレスに変換するテーブルを構築、管理する場合に、省電力モードからの立ち上がりを短くすることができる。
【発明を実施するための最良の形態】
【００１９】
以下、適宜図面を参照しながら本発明の実施例を詳述する。
【実施例１】
【００２０】
（１）実施例の構成
図１は、本発明の実施例に係るオーディオ装置を記録媒体であるメモリカードと共に示すブロック図である。このオーディオシステムにおいて、メモリカード１２は、オーディオ装置１１からの電源により動作し、オーディオ装置１１の制御によりオーディオ装置１１から出力されるデータを記録して保持し、またこの保持したデータをオーディオ装置１１に出力する。
【００２１】
すなわちこのメモリカード１２において、メインメモリ１３は、フラッシュメモリによる不揮発性メモリであり、コントローラ１４の制御によりホスト装置からの出力データを記録して保持し、またこの保持したデータを出力する。メインメモリ１３は、メモリ空間が所定データ量によるブロック単位で管理され、ランダムに各ブロックにそれぞれ論理アドレスが割り当てられるようになされている。またコントローラ１４の制御により欠陥の発生したブロックに代えて、代替のブロックが割り当てられ、この代替のブロックにそれまで欠陥の発生したブロックに割り当てられていた論理アドレスが割り当てられ、これによりユーザーエリアより欠陥を排除するようになされている。またデータの更新時においては、空きブロックに更新に係るデータを記録した後、この更新に係るデータを記録したブロックに割り当てられていた論理アドレスと、更新対象のブロックに割り当てられていた論理アドレスとが入れ換えられると共に、更新対象のブロックのデータが削除され、これによりデータ更新時に途中でメモリカードが取り外されたような場合でも、それまでに更新したデータ又は元のデータの何れかについては保証できるようになされている。
【００２２】
メインメモリ１３は、この各ブロックに対応する所定領域に、それぞれ各ブロックに割り当てられた論理アドレスが記録されるようになされている。またメインメモリ１３は、これら論理アドレスによるファイルの記録位置、空き領域等を特定するＦＡＴを所定の記録領域に記録して保持するようになされている。
【００２３】
リードオンリメモリ（ＲＯＭ）１５は、このような論理アドレスの設定、管理の処理、ホスト装置からのコマンドに対応する処理等に係るコントローラ１４の処理プログラムを記録して保持する。
【００２４】
ランダムアクセスメモリ（ＲＡＭ）１６は、コントローラ１４のワークエリアを構成すると共に、メインメモリの各ブロックに割り当てられてなる論理アドレスをアクセスに必要な物理アドレスに変換する論理物理変換テーブルを記録して保持し、さらにメインメモリ１３への書き込み、読み出しの際のバッファ領域を形成する。
【００２５】
インターフェース（Ｉ／Ｆ）１７は、ホスト装置との間の各種制御コマンド、書き込み、読み出しに供するデータを入出力する。
【００２６】
コントローラ１４は、リードオンリメモリ１５に記録された処理プログラムの実行によりこのメモリカード１２の動作を制御する。すなわちコントローラ１４は、ホスト装置に接続されて電源の供給が開始されると動作を開始し、ホスト装置からの初期化の指示により、メインメモリ１３の各ブロックに順次物理アドレスを割り当て、この物理アドレスを各ブロックに対応するメインメモリ１３の所定領域に記録する。またホスト装置からの論理物理変換テーブルの構築指示により、このメインメモリ１３の所定領域より順次各ブロックに設定された論理アドレスを検出し、各ブロックの物理アドレスとこのようにして検出した論理アドレスとを論理アドレス順にランダムアクセスメモリ１６に記録し、これにより論理物理変換テーブルをランダムアクセスメモリ１６に形成する。また同様のＦＡＴのリード指示により、メインメモリ１３に記録されたＦＡＴを読み出してインターフェース１７よりホスト装置に出力する。
【００２７】
またホスト装置からこのＦＡＴによるファイルの再生が指示されると、この指示に係るコマンドに設定された論理アドレスをランダムアクセスメモリ１６に形成した論理物理変換テーブルにより物理アドレスに変換し、この物理アドレスによりメインメモリ１３よりファイルを読み出してインターフェース１７より出力する。またこれとは逆に、ファイルの記録が指示されると、この指示に係るコマンドに設定された論理アドレスをランダムアクセスメモリ１６に形成した論理物理変換テーブルにより物理アドレスに変換し、この物理アドレスにより順次入力されるデータをメインメモリ１３に記録する。この記録の処理において、データの更新に係る記録が指示されると、ＦＡＴより空き領域を検出し、この空き領域に係る論理アドレスを論理物理変換テーブルにより物理アドレスに変換し、この物理アドレスにより順次入力されるデータをメインメモリ１３に記録する。またこのようにして記録すると、それまでの記録に係るデータを記録してなる論理アドレスと、このように更新に係るデータを記録したそれまでの空き領域に係る論理アドレスとを入れ換えるように、メインメモリ１３に記録された対応するブロックの論理アドレスを更新し、またこれに対応するように論理物理変換テーブルを更新する。またホスト装置よりファイルの削除が指示されると、同様に、この指示に係るコマンドに設定された論理アドレスをランダムアクセスメモリ１６の論理物理変換テーブルにより物理アドレスに変換し、この物理アドレスによりメインメモリ１３の内容を削除する。またこれらデータの記録再生の処理において、欠陥のブロックが検出されると、上述したようにこの欠陥のブロックに代替のブロックを割り当て、これらに対応するようにメインメモリ１３の記録、論理物理変換テーブルを更新する。なおこのようなファイルの記録、削除等に対応してＦＡＴの内容を更新することは言うまでもない。
【００２８】
これらの処理によりメモリカード１２は、ホスト装置の要求によりデータを記録して保持し、また保持したデータを読み出して出力するようになされている。コントローラ１４は、これらデータの書き込み、読み出しの処理を、メインメモリ１３に設定されたブロック単位で実行するようになされている。この実施例において、メモリカード１２は、コンピュータ等のホスト装置に装着されてオーディオファイル、オーディオファイルのタイトル等によるテキストファイル等を記録するようになされ、オーディオ装置１１に装着されてオーディオ装置１１の制御により記録したオーディオファイル、テキストファイルを出力するようになされている。
【００２９】
これらによりオーディオ装置１１は、このメモリカード１２のホスト装置として動作して、メモリカード１２に記録されたオーディオファイルを再生してユーザーに音楽を提供する。すなわちオーディオ装置１１において、操作子２１は、このオーディオ装置１１の操作パネルに設けられた押圧操作子等により構成される。ディスプレイドライバ２２は、コントローラ２３の制御により液晶表示パネルによるディスプレイ２４を駆動し、これにより再生中のオーディオ信号に係るタイトル等を表示する。
【００３０】
ディジタルシグナルプロセッサ（ＤＳＰ）２５は、インターフェース２６より入力されるオーディオデータをデータ伸長した後、音量、周波数特性等を補正して出力する。ディジタルアナログ変換回路（Ｄ／Ａ）２７は、このディジタルシグナルプロセッサ２５から出力されるオーディオデータをアナログ信号に変換して出力し、増幅回路２８は、このディジタルアナログ変換回路２７の出力信号によりイヤホンＥを駆動する。これによりこのオーディオ装置１１では、メモリカード１２から再生されるオーディオ信号を試聴できるようになされている。
【００３１】
インターフェース（Ｉ／Ｆ）２６は、コントローラ２３の制御によりメモリカード１２に各種コマンドを出力し、またこのコマンドの出力により得られるメモリカード１２からの各種データをバスＢＵＳに出力する。メモリ２９は、インターフェース２６から入力されるオーディオデータ、ＦＡＴのデータを一時保持してそれぞれディジタルシグナルプロセッサ２５、メモリ２９に出力する。メモリ２９は、バッテリ３０によるバックアップ電源を有し、これによりこのオーディオ装置１１が省電力モードに動作を切り換えた場合にあっても、メモリカード１２から取得したオーディオデータ、ＦＡＴのデータを記録して保持できるようになされている。
【００３２】
コントローラ２３は、このオーディオ装置１１の動作を制御するコンピュータであり、電源の立ち上げにより、メモリカード１２の装着により、インターフェース２６を介してメモリカード１２に論理物理変換テーブルの構築を指示する。またこの構築の完了の通知によりメモリカード１２にＦＡＴのデータの再生を指示し、この指示によりメモリカード１２から送出されるＦＡＴのデータをメモリ２９に記録して保持する。コントローラ２３は、このようにしてＦＡＴのデータをメモリ２９に保持すると、このＦＡＴのデータにより特定される先頭ファイルの先頭に、現在位置を示すポインタを設定する。コントローラ２３は、操作子２１の操作によるユーザーの指示によりオーディオファイルの再生が指示されると、このポインタを順次更新しながら、このポインタにより特定される現在位置に続くブロックについて、オーディオデータの読み出しをメモリカード１２に指示し、その結果メモリカード１２から得られるオーディオデータの処理を各部に指示する。これによりオーディオ装置１１では、順位、メモリカード１２に記録されたオーディオファイルを再生してユーザーに提供するようになされている。これらによりこのポインタにおいては、オーディオデータの再生中においては、イヤホンＥで再生されているオーディオデータの現在位置を示すようになされている。
【００３３】
これに対してユーザーにより、曲送り等の操作が指示されると、メモリ２９に保持したＦＡＴの記録により、ポインタを曲単位で更新した後、同様の処理を実行し、これにより曲送り等の処理を実行する。これらの処理において、コントローラ２３は、各曲のタイトル等に係るテキストファイルについては、メモリカード１２からのＦＡＴのデータの取得により、メモリカード１２から取得してメモリ２９に保持し、対応する曲の再生により、このタイトルのファイルによる内容をディスプレイ２４に表示する。
【００３４】
これに対して操作子２１の操作によりユーザーにより再生停止が指示されると、各部にオーディオデータの処理の中止を指示した後、図２に示す処理手順の実行により、また電源の起動、メモリカード１２の装着に係る一連の処理を実行すると、同様にこの図２に示す処理手順の実行により、適宜、省電力モードに動作モードを切り換える。すなわちコントローラ２３は、この処理手順を開始すると、ステップＳＰ１からステップＳＰ２に移る。
【００３５】
ここでコントローラ２３は、ユーザーにより停止が指示された後、又は電源の起動、メモリカード１２の装着に係る一連の処理を実行した後、所定時間経過したか否か判断し、ここで否定結果が得られると、ステップＳＰ２からステップＳＰ３に移る。このステップＳＰ３において、コントローラ２３は、再生等の指示に係る操作子２１がユーザーにより操作されたか否か判断し、ここで肯定結果が得られると、ステップＳＰ３からステップＳＰ４に移り、この処理手順を終了するのに対し、否定結果が得られると、ステップＳＰ３からステップＳＰ２に戻る。これによりコントローラ２３は、ユーザーにより再生の停止が指示された後、又は電源の起動、メモリカード１２の装着に係る一連の処理を実行した後、一定時間の間、ユーザーによる操作子２１の操作を待機し、この一定時間経過しても、何ら操作子２１がユーザーにより操作されない場合、ステップＳＰ２で肯定結果が得られることにより、ステップＳＰ２からステップＳＰ５に移る。
【００３６】
ここでコントローラ２３は、ポインタを基準にしてこの状態でユーザーにより再生の操作子が操作された場合に再生を開始するオーディオデータを所定ブロック分だけメモリカード１２よりロードしてメモリ２９に記録し、またこのポインタを併せてメモリ２９に記録する。また続くステップＳＰ６において、全体の動作モードを省電力モードに切り換え、各部への電源の供給を停止すると共に、メモリカード１２への電源供給を停止した後、ステップＳＰ４に移ってこの処理手順を終了するようになされている。
【００３７】
これにより図３に示すように、オーディオ装置１１では、例えば曲の再生中にユーザーより停止が指示された後、所定時間経過して省電力モードに動作モードを切り換える場合には、この再生を停止した箇所より続くオーディオデータをメモリカード１２のメインメモリ１３よりロードしてメモリ２９に保持しておくようになされている。
【００３８】
これに対してこのようにして省電力モードの動作モードを設定した状態で、ユーザーにより何れかの操作子２１が操作されると、コントローラ２３は、省電力モードより通常の動作モードに動作を立ち上げ、各部への電源供給を開始すると共に、メモリカード１２への電源供給を開始する。このときコントローラ２３は、メモリカード１２に論理物理変換テーブルの構築を指示し、これにより省電力モードによりメモリカード１２への電源の供給を停止して失われた論理物理変換テーブルをメモリカード１２で改めて構築するようになされている。
【００３９】
コントローラ２３は、このような動作の立ち上げに係るユーザーによる操作子２１の操作が、再生を指示する場合、メモリ２９に保持してなるテキストデータによりポインタにより指示される現在位置に対応する曲タイトルを表示し、また同様に、メモリ２９に保持してなるオーディオデータについてポインタにより指示される箇所からの再生開始を各部に指示する。またこのようにしてオーディオデータを再生して、論理物理変換テーブルの構築に完了がメモリカード１２から通知されると、通常の再生の処理と同様に、メモリ２９に保持してなるオーディオデータのデータ量が少なくなると、メモリカード１２から続くオーディオデータを読み出してオーディオデータの再生を継続する。
【００４０】
これによりこのオーディオ装置１１においては、メモリカード１２で論理物理変換テーブルを構築して、メモリカード１２からオーディオデータを読み出してユーザーに提供可能になるまでの間、省電力モードへの動作モードの切り換え時に先読みしてメモリ２９に保持したオーディオデータによる音楽をユーザーに提供するようになされ、これによりメモリカード側で論理アドレスを物理アドレスに変換するテーブルを構築、管理する場合に、省電力モードからの立ち上がりを短くし、その分、ユーザーの使い勝手を向上するようになされている。
【００４１】
これに対してこのような動作の立ち上げに係るユーザーによる操作子２１の操作が、曲送り等を指示する操作の場合、コントローラ２３は、メモリ２９に保持してなるポインタをこのユーザーによる操作に応動して更新し、またこの更新に係るポインタにより指示される曲タイトル等をメモリ２９に保持したテキストファイルにより表示する。またこのようにしてメモリカード１２から論理物理変換テーブルの構築の完了が通知されると、ユーザーによる再生の指示に応動してポインタにより指示される箇所よりオーディオデータの読み出し、再生を開始する。これによりこの場合は、メモリカード１２で論理物理変換テーブルを構築して、メモリカード１２からオーディオデータを読み出してユーザーに提供可能になるまでの間、メモリ２９に保持してなるテキストファイルによるタイトル等をユーザーに提供して、メモリカード１２で論理物理変換テーブルを構築するまでの待ち時間による使い勝手の劣化を少なくするようになされている。
【００４２】
またこのようにして一旦省電力モードに動作を切り換えた後において、コントローラ２３は、時間経過をカウントし、省電力モードへの設定が長時間になると、メモリ２９に対するバッテリ３０による電源の供給を停止する。これによりコントローラ２３は、例えば１週間程度の間、省電力モードに放置された場合には、このような再生を中止した箇所からの再生開始を中止してユーザーによる操作上の違和感を解消するようになされている。
【００４３】
（２）実施例の動作
以上の構成において、このオーディオ装置１１では、メモリカード１２の装着により、又は電源の立ち上げにより、コントローラ２３からメモリカード１２に論理物理変換テーブルの構築が指示され、これによりメモリカード１２においては、コントローラ１４の制御によりメインメモリ１３に記録されてなる各ブロックの論理アドレスが収拾され、各ブロックの物理アドレスとこのようにして検出した論理アドレスとが論理アドレス順にランダムアクセスメモリ１６に記録され、これにより論理物理変換テーブルが構築される。またオーディオ装置１１からの指示によりメインメモリ１３に記録されたＦＡＴのデータが再生されてオーディオ装置１１のメモリ２９に格納される。これによりこのオーディオ装置１１では、ユーザーによるオーディオファイルの再生の指示により、対応するオーディオファイルの論理アドレスがメモリ２９に記録されたＦＡＴのデータにより検出され、この論理アドレスによる読み出しコマンドが発行され、このコマンドによりメモリカード１２でランダムアクセスメモリ１６の構築された論理物理変換テーブルにより論理アドレスが物理アドレスに変換され、この物理アドレスによりメインメモリ１３からオーディオファイル等が再生される。またこの再生したオーディオファイルのデータがオーディオ装置１１に出力され、このオーディオ装置１１において、このオーディオデータがデータ伸長されてユーザーに提供される。これによりこのオーディオ装置１１では、メモリカード１２に記録されたオーディオデータを再生してユーザーに提供することができるようになされている。
【００４４】
オーディオ装置１１では、このようなオーディオデータの再生停止がユーザーにより指示された後、長時間放置されると、オーディオ装置１１が省電力モードに動作モードを切り換え、これにより無駄な電力消費が防止される。
【００４５】
オーディオ装置１１では、この省電力モードへの動作モードの切り換え時、続いて再生するオーディオデータが事前にメモリカード１２より読み出されてメモリ２９に保持される。またメモリカード１２への電力の供給も停止され、これによりランダムアクセスメモリ１６に保持してなる論理物理変換テーブルも失われることになる。
【００４６】
オーディオ装置１１では、このようにして省電力モードに動作モードを切り換えて、ユーザーによる操作子の操作により省電力モードからの動作を立ち上げる場合、メモリカード１２への電源の供給を開始した後、論理物理変換テーブルの構築を指示する。オーディオ装置１１では、続いてメモリ２９に保持してなるオーディオデータの処理を開始して、再生を中止した箇所の続きよりオーディオデータを再生してユーザーに提供する。またメモリカード１２における論理物理変換テーブルの構築が完了してオーディオデータを読み出し可能になると、このようなメモリ２９に保持してなるオーディオデータに続いてメモリカード１２から読み出したオーディオデータを再生する。これによりユーザーにおいては、論理物理変換テーブルの構築に時間を要する場合にあっても、この構築の完了を待つこと無く、再生を中止した箇所から音楽の鑑賞を再開することができ、これによりメモリカード側で論理アドレスを物理アドレスに変換するテーブルを構築、管理する場合に、省電力モードからの立ち上がりを短くすることができる。
【００４７】
（３）実施例の効果
以上の構成によれば、続いて再生するデータをメモリカードから先読みしてメモリに保持した後、省電力モードに動作を切り換え、省電力モードからの動作の立ち上げにより、論理アドレスを物理アドレスに変換するテーブルをメモリカードが構築してメモリカードのデータを提供可能となるまでの間、このメモリに記録して保持したデータを再生してユーザーに提供することにより、メモリカード側で論理アドレスを物理アドレスに変換するテーブルを構築、管理する場合に、省電力モードからの立ち上がりを短くすることができる。
【実施例２】
【００４８】
なお上述の実施例においては、本発明をオーディオデータの再生装置に適用する場合について述べたが、本発明はこれに限らず、動画、静止画による再生装置にも広く適用することができる。
【産業上の利用可能性】
【００４９】
本発明は、例えば数ＧＢ程度以上の大容量のメモリカードに記録されたオーディオ信号を再生する再生装置に適用することができる。
【図面の簡単な説明】
【００５０】
【図１】本発明の実施例に係るオーディオ装置を示すブロック図である。
【図２】図１のオーディオ装置におけるコントローラの処理手順を示すフローチャートである。
【図３】図２の処理手順の説明に供する略線図である。
【図４】従来のオーディオ装置とメモリカードとの関係を示す略線図である。
【図５】論理物理変換テーブルの説明に供する図表である。
【図６】欠陥のブロックに係る論理アドレスの処理の説明に供する図表である。
【図７】データの更新に係る論理アドレスの処理の説明に供する図表である。
【図８】図７の続きの処理の説明に供する図表である。
【図９】メモリカード側で論理アドレスを物理アドレスに変換するテーブルを構築、管理する場合を示す略線図である。
【符号の説明】
【００５１】
１、１１……オーディオ装置、２、６、１２……メモリカード、３、２９……メモリ、１３……メインメモリ、１４、２３……コントローラ
【図１】
2005208265.tif 000003
【図２】
2005208265.tif 000004
【図３】
2005208265.tif 000005
【図４】
2005208265.tif 000006
【図５】
2005208265.tif 000007
【図６】
2005208265.tif 000008
【図７】
2005208265.tif 000009
【図８】
2005208265.tif 000010
【図９】
2005208265.tif 000011